(57)【要約】【課題】  降雨後においては、１日でも早く乾田直播作業を行える直播機の提供である。【解決手段】  トラクタＴにより牽引される機体Ｂに作溝装置Ｅが装着され、当該作溝装置Ｅは、機体Ｂの進行方向Ｐと直交する方向Ｑに沿って一定間隔をおいて多数の作溝輪Ｗが駆動軸６３に取付けられ、前記トラクタＴの一対の後輪ＢＷにより形成される凹部Ｈに配置される作溝輪Ｗの一側方又は両側方に播種溝形成補助装置Ｆ1 が装着され、当該装置Ｆ1 は、前記凹部Ｈの幅方向の一端部の土壌を掘削した土Ｓにより前記凹部Ｈを埋める土寄せ板１と、当該土寄せ板１の後方に連続して設けられた土成形板２とから成り、前記土Ｓを、前記作溝輪Ｗの規制鍔リング体８６及び作溝突板部９０との間に瞬間的に閉じ込めた状態にすることで、当該土Ｓの部分に播種溝Ｖｋを形成する。【選択図】  図１１
2015029477.tif 000002
【特許請求の範囲】
【請求項１】
トラクタにより牽引される機体と、
当該機体の進行方向と直交する方向に沿って当該機体に駆動軸が支持され、当該駆動軸に一定間隔をおいて多数の作溝輪が一体に取付けられ、当該作溝輪は、極短円筒状をした深さ規制用の規制鍔リング体の幅方向の中央部に横断面が鋭いＶ字状をした作溝突板部が全周に亘って突設された構成の作溝装置とを備え、
前記トラクタにより機体を牽引しながら、前記作溝輪の駆動回転により田圃に播種溝を形成して、形成直後の当該播種溝に種子を落下させて乾田直播を行う直播機において、
降雨後の早い時期に田圃に乾田直播を可能にすべく、降雨後の田圃において、前記トラクタの車輪又はクローラの直後に形成される車輪跡又はクローラ跡の凹部に対して一側方又は両側方の土を寄せ集めて成形することで、播種溝を形成可能にするために前記機体に装着される播種溝形成補助装置を備え、
当該播種溝形成補助装置は、
前記機体の進行により土を掘削して前記凹部に当該土を寄せられるように、平面視で機体の進行方向に対して傾斜すると共に、断面視で前記作溝輪の側に傾斜した状態で、前記トラクタの車輪又はクローラの後方に配置された各作溝輪の一側方又は両側方に、全体が、当該作溝輪の回転軸心よりも僅かに前方に配置された土寄せ具と、
当該土寄せ具により作溝輪の側に寄せられた土を、当該作溝輪の規制鍔リング体及び作溝突板部と協働して、連続的に閉じ込めた状態で成形することで、当該作溝輪による播種溝の形成を可能とすべく、平面視で前記機体の進行方向に沿うと共に、横断面視で前記作溝輪の側に傾斜した状態で、前記土寄せ具の後端に接続された土成形板と、
を備え、
前記凹部において、前記土寄せ具により、当該凹部を走行する作溝輪の一側方又は両側方から、当該作溝輪の側に寄せ集められた土を、前記土成形板、前記作溝輪の規制鍔リング体及び作溝突板部の計３つの部材により播種溝が形成可能な状態に成形することを特徴とする降雨後の早い時期に田圃に乾田直播を行える直播機。
【請求項２】
前記土成形板の大部分は、前記作溝輪の回転軸心よりも僅かに前方に配置されて、その後端が当該回転軸心よりも僅かに後方に配置されていることを特徴とする請求項１に記載の降雨後の早い時期に田圃に乾田直播を行える直播機。
【請求項３】
前記土寄せ具及び土成形板は、播種溝補助形成板となって一体に形成されて、作溝装置を装着している機体に対して当該機体の幅方向及び高さ方向の取付位置が調整可能であることを特徴とする請求項１又は２に記載の降雨後の早い時期に田圃に乾田直播を行える直播機。
【請求項４】
前記土寄せ具は、一枚状の板体で構成されていることを特徴とする請求項１ないし３のいずれかに記載の降雨後の早い時期に田圃に乾田直播を行える直播機。
【請求項５】
前記土寄せ具は、機体の進行により土と接触して回転可能なディスク板で構成されていることを特徴とする請求項１ないし３のいずれかに記載の降雨後の早い時期に田圃に乾田直播を行える直播機。
【発明の詳細な説明】
【技術分野】
【０００１】
本発明は、降雨後の早い時期において、トラクタの走行により田圃に形成された車輪跡又はクローラ跡の凹部に、その一側方又は両側方から土を供給することで、当該凹部に播種溝を形成可能にすることで、降雨後の早い時期に田圃に乾田直播を行える直播機に関するものである。
なお、「乾田直播」とは、乾田状の田圃に播種溝を形成し、当該播種溝に種子を落下させて播種する直播法を指す。
【背景技術】
【０００２】
直播機は、その機体がトラクタにより牽引されて、田圃の表面に断面が鋭いＶ字状の多数条の播種溝を機体の進行方向と直交する方向に沿って所定間隔をおいて形成して、当該播種溝の形成直後に、その底部に種子を落下させ、種子の落下直後に当該種子を覆土する播種機の一種であって、前記播種溝を形成するための作溝装置を備えている。
【０００３】
本発明に係る乾田直播を行う直播機としては、特許文献１，２に開示のものが知られているが、本発明の実施例の図面である図１〜図４を参照して、直播機の概略構成について説明する。ここで、本発明は、大雨、或いは長期間の降雨により、田圃の地表部の水分が多くなって、田面の土壌が軟弱化することで、トラクタの車輪跡又はクローラ跡が深くなって、播種溝が形成できない場合において、他の部分よりも低くなっているトラクタの車輪跡又はクローラ跡の凹部に、一側方又は両側方の土を供給することで、当該凹部に播種溝を形成可能にする点に特徴があり、直播機の本体部は、従来構成のままで特徴を有していないので、直播機の本体部の説明に関しては、必要最小限に止めるために、直播機の駆動軸６３及びホッパー６４内の種子及び肥料の繰出し機構の駆動機構の詳細説明は行わない。
【０００４】
直播機は、一対のロワーリンク６１とアッパーリンク６２とから成る３点ヒッチリンクＬを介してトラクタの機体（図示せず）の後部に昇降可能に装着されて牽引され、機体Ｂに、当該機体Ｂの進行方向Ｐと直交する方向に沿って駆動軸６３が支持され、当該駆動軸６３に、形成する播種溝Ｖｋの条間に対応した間隔をおいて多数の作溝輪Ｗが取付けられ、機体Ｂにおける各作溝輪Ｗの斜後上方にそれぞれ対応したホッパー６４が取付けられた構成である。作溝装置Ｅは、駆動軸６３に多数の作溝輪Ｗが取付けられた構成である。
【０００５】
作溝輪Ｗには、種々の構造があるが、一例として、図４に示されるものを挙げる。この作溝輪Ｗは、中心孔を有する大径及び小径の一対のわん曲円板８１，８２の外周部を小径のわん曲円板８２の側で溶接８３して、一対のわん曲円板８１，８２を一体化させて、当該一対のわん曲円板８１，８２の各中心孔８１ａ，８２ａに短円筒状の取付円筒体８４を嵌め込んで、溶接８３により一体化させ、最後に、一対のわん曲円板８１，８２の外側に、それぞれ分割鍔リング体８５を嵌め込んで、溶接８３により一体化させている。一対のわん曲円板８１，８２が溶接８３により一体化された形状は、中心孔を有することを含めて、ソロバン玉の形状に近似している。これにより、一対の分割鍔リング体８５で構成される深さ規制用の規制鍔リング体８６の幅方向の中央部に、横断面が鋭いＶ字状をした作溝突板部９０が全周に亘って突設された構成の作溝輪Ｗとなる。作溝輪Ｗが一体に設けられた多数の取付円筒体８４は、駆動軸６３の外側に嵌め込まれて、連結ピン８７によって両者が一体化されることで、当該駆動軸６３に、田面Ａに形成する多数条の播種溝Ｖｋの条間隔（ピッチ）〔Ｄ〕〔図３参照〕に対応した間隔をおいて一体に取付けられて、作溝装置Ｅを構成する。なお、取付円筒体８４には、ナット８８が溶接により固定され、当該ナット８８に螺合されたボルト８９の先端部が、取付円筒体８４に設けられた貫通孔８４ａに挿入されて、駆動軸６３の外周面に当接させることで、駆動軸６３と取付円筒体８４との間のガタツキを防止している。
【０００６】
駆動軸６３は、トラクタのＰＴＯ軸（図示せず）からユニバーサルジョイント６５を介して取り出された動力が、傘歯車機構（図示せず）及びチェーン歯車機構６６を介して伝達されることで、駆動回転する。一方、ホッパー６４は、その内部に設けられた分離板６７によって種子収容室６８と肥料収容室６９とに分離され、前記ホッパー６４の直下には、各収容室６８，６９から別々に繰り出された種子と肥料とを混合状態で収容可能な受け器７１が配置され、各受け器７１には、種子と肥料との混合物の落下案内を行うための播種ホース７２が連結され、各播種ホース７２の下端部は、駆動軸６３の駆動回転により各作溝輪Ｗにより形成された各播種溝Ｖｋの開口に臨んでいる。機体Ｂの前方には、前記ホッパー６４と受け器７１との間に配置された種子及び肥料の繰出し機構（図示せず）を駆動する動力を発生させるための１本の接地輪７３が配置され、当該接地輪７３の回転により発生した動力は、ユニバーサルジョイント及び鎖歯車機構（図示せず）を介して上記した繰出し機構に伝達される。なお、図２及び図３において、Ｒは、播種溝Ｖｋの底部に種子Ｋが落下された直後に、当該播種溝Ｖｋの開口の両側の土を崩して前記種子Ｋを覆土させるために、後横支持棹７４にチェーン９１を介して連結された覆土ロッドを示し、７５は、駆動軸６３の一端部に取付けられて、前記チェーン歯車機構６６を構成する鎖歯車を示し、７６は、当該チェーン歯車機構６６を覆っているチェーンカバーを示す。
【０００７】
そして、作業状態の機体Ｂは、１本の接地輪７３と、駆動軸６３に取付けられた多数の作溝輪Ｗの各規制鍔リング体８６が田面Ａに接地され、この状態で機体Ｂが進行すると、駆動軸６３の駆動回転により規制鍔リング体８６により、田面に対する作溝突板部９０の侵入深さが規制された状態で、各作溝輪Ｗの各作溝突板部９０によって、田面Ａに、当該作溝突板部９０に対応した断面が鋭いＶ字状をした多数条の播種溝Ｖｋが一定ピッチ（Ｄ）で形成される。作溝輪Ｗの作溝突板部９０が駆動回転しながら進行することで、播種溝Ｖｋの両側部の土は、当該作溝輪Ｗの形成時に作溝突板部９０によって側方から押圧力を受けるため硬くなっている。播種溝Ｖｋの形成直後に、各作溝輪Ｗの後方に配置された播種ホース７２から、当該播種溝Ｖｋの底部に肥料と混合された種子Ｋが落下されて、播種される。
【０００８】
なお、播種溝Ｖｋは、その横断面が鋭いＶ字状であって、開口幅及び深さは、それぞれ（２ｃｍ），（５ｃｍ）程度に定めてあって、しかも播種溝Ｖｋの両側部は、溝形成時の土の圧縮により硬くなっているため、すずめ、からす、鳩等の野鳥（害鳥）のくちばしが溝底まで達するのを阻止できて、溝底に落下された種子Ｋの野鳥による捕食を防止できる。
【０００９】
ここで、田圃が乾田状態の場合においても、トラクタの自重によって、田面には、トラクタの車輪跡又はクローラ跡が付けられて、凹部（多少窪み）が発生するが、播種溝Ｖｋの形成には、殆ど支障がない。しかし、降雨後の数日間においては、田圃の地表部は、軟弱状態になっていると共に、低い部分は、水が溜まった状態となる。この状態で、トラクタが田圃に入って、上記した種子の乾田直播作業を行うと、トラクタの車輪跡（後輪跡）又はクローラ跡が、乾田状態と比較し深く形成されて凹部となるために、当該凹部には、作溝輪による播種溝が殆ど形成されないか、或いは形成されたとしても、浅い播種溝となってしまう。なお、後輪に相当する部分のみがクローラ構造となっている「セミクローラ型」のトラクタにおいては、前輪の通った部分に最も深い凹部（前輪跡凹部）が形成され、当該前輪跡凹部には、十分な深さの播種溝の形成はできない。
【００１０】
この結果、種子が田面に露出したり、或いは浅い播種溝に種子が落下されるために、当該種子は、野鳥により容易に捕食されてしまい、田圃の単位面積に対する収穫量が激減される。この状態を回避するために、軟弱状態の田圃が乾田状態になるまで、トラクタ牽引による直播作業を一定期間だけ中止して、乾田状態になった時点以降において、直播作業を行わざるを得なかったので、生産農家にとっては、乾田直播の作業可能な期間の制約が大きかった。
【先行技術文献】
【特許文献】
【００１１】
【特許文献１】特開２０００−６５００８号公報
【特許文献２】特開２００７−５９号公報
【発明の概要】
【発明が解決しようとする課題】
【００１２】
本発明は、地表部が軟弱状態の田圃において、作溝装置の機体をトラクタにより牽引して乾田直播を行う場合に、トラクタの車輪跡又はクローラ跡の凹部に対する一側方又は両側方から土の供給により、当該凹部を埋めて、作溝輪による播種溝の形成を可能にすることで、従来においては、大雨又は長期間の降雨の後は、田面の水分が減って、車輪又はクローラの沈みが少なくなるまで、作業ができなかった問題を解消して、降雨後においては、１日でも早く乾田直播作業を行えるようにすることを課題としている。
【課題を解決するための手段】
【００１３】
上記課題を解決するための請求項１の発明は、トラクタにより牽引される機体と、当該機体の進行方向と直交する方向に沿って当該機体に駆動軸が支持され、当該駆動軸に一定間隔をおいて多数の作溝輪が一体に取付けられ、当該作溝輪は、極短円筒状をした深さ規制用の規制鍔リング体の幅方向の中央部に横断面が鋭いＶ字状をした作溝突板部が全周に亘って突設された構成の作溝装置とを備え、前記トラクタにより機体を牽引しながら、前記作溝輪の駆動回転により田圃に播種溝を形成して、形成直後の当該播種溝に種子を落下させて乾田直播を行う直播機において、降雨後の早い時期に田圃に乾田直播を可能にすべく、降雨後の田圃において、前記トラクタの車輪又はクローラの直後に形成される車輪跡又はクローラ跡の凹部に対して一側方又は両側方の土を寄せ集めて成形することで、播種溝を形成可能にするために前記機体に装着される播種溝形成補助装置を備え、当該播種溝形成補助装置は、前記機体の進行により土を掘削して前記凹部に当該土を寄せられるように、平面視で機体の進行方向に対して傾斜すると共に、断面視で前記作溝輪の側に傾斜した状態で、前記トラクタの車輪又はクローラの後方に配置された各作溝輪の一側方又は両側方に、全体が、当該作溝輪の回転軸心よりも僅かに前方に配置された土寄せ具と、当該土寄せ具により作溝輪の側に寄せられた土を、当該作溝輪の規制鍔リング体及び作溝突板部と協働して、連続的に閉じ込めた状態で成形することで、当該作溝輪による播種溝の形成を可能とすべく、平面視で前記機体の進行方向に沿うと共に、横断面視で前記作溝輪の側に傾斜した状態で、前記土寄せ具の後端に接続された土成形板とを備え、前記土寄せ具により、当該凹部を走行する作溝輪の一側方又は両側方から、当該作溝輪の側に寄せ集められた土を、前記土成形板、前記作溝輪の規制鍔リング体及び作溝突板部の計３つの部材により播種溝が形成可能な状態に成形することを特徴としている。
【００１４】
請求項１の発明によれば、土寄せ具は、機体の進行により土を掘削して、車輪跡又はクローラ跡の凹部に土が寄せられるように、平面視で機体の進行方向に対して傾斜すると共に、断面視で前記作溝輪の側に傾斜した状態で、前記トラクタの車輪又はクローラの直後方に配置された各作溝輪の一側方又は両側方に、当該作溝輪の回転軸心よりも全体が僅かに前方に配置されているため、トラクタの走行により田面に形成された前記凹部には、前記土寄せ具により、当該凹部の側方の土が寄せられて盛り上げられることで、当該凹部が土で埋められて、他の一般部とほぼ同様の状態となる。なお、土寄せ具が作溝輪の側に傾斜して、配置されていることで、当該土寄せ具により掘削された土が前記凹部の側に誘導され易くなる。
【００１５】
土寄せ具の直後には、横断面視で前記作溝輪の側に傾斜し、しかも、平面視で前記機体の進行方向に沿った状態で、大部分が前記作溝輪の回転軸心よりも僅かに前方に配置されて、その後端が当該回転軸心よりも僅かに後方に配置されるようにして前記土寄せ具の後端に接続されているため、作溝輪により最も深く作溝される部分（回転軸心の真下）においては、前記凹部に埋められた土は、前記土成形板と、作溝輪を構成する規制鍔リング体及び作溝突板部との三者の間に連続的に閉じ込められて圧縮成形された状態となって、前記凹部の幅内に配置された作溝輪により、当該凹部を埋めている土に対して、当該凹部以外の部分に配置されている他の作溝輪と同様にして、播種溝が形成される。なお、作溝輪は、トラクタの走行速度（前進速度）と同一速度で走行しながら、田圃の表面部に播種溝を形成する部材であるが、作溝輪の作溝突板部の周速度は、トラクタの走行速度よりも速く設定してあるため、走行中の作溝輪により前記播種溝の形成が可能となる。
【００１６】
また、土寄せ具と土成形板とで構成される播種溝形成補助装置は、車輪跡又はクローラ跡の凹部の深さとは無関係に常に、当該凹部の一側方又は両側方の土を当該凹部に寄せる作用を果すが、機体に装着された作溝装置は、当該機体に支持された作溝軸に一定間隔をおいて多数の作溝輪が同一高さに取付けられているため、例えば、前記凹部が浅くて、過剰の土が寄せられても、当該凹部の直後の作溝輪の規制鍔リング体により、過剰の土は、側方に排除されるか、或いは押し付けられることで、他の作溝輪による播種溝と同一深さの播種溝が形成される。
【００１７】
このため、田圃が降雨後の直後の軟弱状態であっても、前記凹部に播種溝を支障なく作溝できて、当該播種溝に種子を落下させる直播作業を行えるため、降雨後において割合に早く直播作業を予定通りに行える。この結果、従来発生していた車輪跡又はクローラ跡の凹部に落下された種子の露出がなくなるため、田圃の本来の播種面積を確保できる。
【００１８】
土成形板は、作溝輪の側に傾斜して配置されていて、前記凹部に寄せられた土が、当該土成形板と作溝輪との間において圧縮されて硬くなるために、播種溝の形成が確実となる。また、土成形板は、作溝輪の側に傾斜して配置されていて、当該土成形板の部分においては、下方に向かう程、幅広となっているため、稲の根張りを良好にする効果もある。
【００１９】
土寄せ具により、前記凹部の幅方向の端部の土壌が掘削されて、当該凹部を埋めることで、当該凹部の一側方又は両側方には、土寄せ具による掘削溝が田圃の全長に亘って連続して形成される。この掘削溝は、排水溝として機能して、田圃に溜まった水は、速やかに排水されるため、軟弱状態の田圃は、速やかに乾田状態となって、播種された種子が過剰水分により損傷されることなく、良好に発芽する。
【００２０】
請求項２の発明は、請求項１の発明において、前記土成形板の大部分は、前記作溝輪の回転軸心よりも僅かに前方に配置されて、その後端が当該回転軸心よりも僅かに後方に配置されていることを特徴としている。
【００２１】
請求項２の発明によれば、土成形板は、その大部分が作溝輪の回転軸心よりも前方に配置されて、その後端は、当該作溝輪の回転軸心よりも僅かに後方に配置されているため、土成形板の大部分は、作溝輪の回転軸心よりも前方に配置されて、その後端は、当該作溝輪の回転軸心よりも僅かに後方に配置されているために、作溝輪により最も深く作溝される部分である当該作溝輪の回転軸心の部分において、前記凹部に寄せられた土は、作溝突板部と土成形板とによって両側からしっかりと圧縮成形された状態となって、作溝輪の側の圧力（圧縮力）がなくなるまで、当該作溝輪と接触しているので、形成される播種溝の形状を良好に維持できて、播種溝の作溝が確実となる。
【００２２】
請求項３の発明は、請求項１又は２の発明において、前記土寄せ具及び土成形板は、播種溝補助形成板となって一体に形成されて、作溝装置を装着している機体に対して当該機体の幅方向及び高さ方向の取付位置が調整可能であることを特徴としている。
【００２３】
請求項３の発明によれば、作溝装置を装着している機体に対して播種溝補助形成板の幅方向の位置の調整により、トラクタの車輪又はクローラの跡である凹部に配置される作溝輪の一側方又は両側方に対して播種溝補助形成板を最適に位置を選択して配置できる。また、同様に、機体の高さ方向に対する播種溝補助形成板の位置の調整により、土寄せ具による土壌の掘削量を最適に調整できる。
【００２４】
請求項４の発明は、請求項１ないし３のいずれかの発明において、前記土寄せ具は、一枚状の板体で構成されていることを特徴としている。
【００２５】
請求項４の発明によれば、土寄せ具は、最も簡単である一枚状の板体で構成されているので、当該土寄せ具の後端に連続して配置される土成形板と一体にすることが可能となって、播種溝形成補助装置の全体構成が簡単となる。
【００２６】
請求項５の発明は、請求項１ないし３のいずれかの発明において、前記土寄せ具は、機体の進行により土と接触して回転可能なディスク板で構成されていることを特徴としている。
【００２７】
請求項５の発明は、土寄せ具がディスク板で構成されているため、田面に散在している作物の茎、或いは草等の長尺紐状物が引っ掛かりにくい利点がある。
【発明の効果】
【００２８】
本発明によれば、作溝装置が取付けられている機体に土寄せ具と土成形板とを取付けることで、トラクタの車輪跡又はクローラ跡の凹部に、その一側方又は両側方の土を掘削して埋めることで、田圃が降雨後の軟弱状態であっても、前記凹部を埋めている部分の土に対して播種溝を支障なく形成できるので、田面が軟弱状態である降雨後の極めて早い時期から、当該播種溝に種子を落下させる直播作業を行える。
【図面の簡単な説明】
【００２９】
【図１】本発明の実施例１の播種溝形成補助装置Ｆ1 を備えた直播機を前方から見た斜視図である。
【図２】同じく側面図である。
【図３】同じく平面図である。
【図４】（ａ）は、多数の作溝輪Ｗが取付けられた駆動軸６３の部分断面図であり、（ｂ）は、（ａ）のＸ−Ｘ線断面図である。
【図５】（ａ）は、播種溝形成補助装置Ｆ1 を構成する一対の土寄せ板１及び土成形板２の一方が連結ブラケット１１を介して前横支持棹７７に支持される状態の分解斜視図であり、（ｂ）は、同様の側面図である。
【図６】左右一対の土寄せ板１及び土成形板２が連結ブラケット１１を介して前横支持棹７７に支持された状態の斜視図である。
【図７】同じく正面図である。
【図８】（ａ）は、同じく平面図であり、（ｂ）は、（ａ）のＺ−Ｚ線断面図である。
【図９】（ａ）〜（ｄ）は、それぞれ図８のＹ1 −Ｙ1 線〜Ｙ4 −Ｙ4 線の断面図である。
【図１０】播種溝形成補助装置Ｆ1 の作溝輪Ｗの回転軸心Ｃに対する前後方向に沿った配置を示す側面図である。
【図１１】播種溝形成補助装置Ｆ1 の作用を示す斜視図である。
【図１２】同じく作溝輪Ｗの回転軸心Ｃの部分の横断面図である。
【図１３】（ａ），（ｂ），（ｃ）は、作溝装置Ｅの複数の作溝輪Ｗに対する播種溝形成補助装置Ｆ1 の異なる配置例を示す平面図、正面断面図及び形成された播種溝Ｖｋの断面図である。
【図１４】（ａ），（ｂ），（ｃ）は、作溝装置Ｅの複数の作溝輪Ｗに対する播種溝形成補助装置Ｆ1 の更に異なる配置例を示す平面図、正面断面図及び形成された播種溝Ｖｋの断面図である。
【図１５】（ａ），（ｂ），（ｃ）は、作溝装置Ｅの特定の２つの作溝輪Ｗの両側にそれぞれ対称形状の播種溝形成補助装置Ｆ1 が配置された例を示す平面図、正面断面図及び形成された播種溝Ｖｋの断面図である。
【図１６】本発明の実施例２の播種溝形成補助装置Ｆ2 を備えた作溝装置Ｅの斜視図である。
【図１７】（ａ），（ｂ）は、本発明の実施例２の播種溝形成補助装置Ｆ2 を備えた作溝装置Ｅの平面図及び側面図である。
【図１８】播種溝形成補助装置Ｆ2 を後方からみて、その作用を示す断面図である。
【発明を実施するための形態】
【００３０】
以下、複数の実施例を挙げて、本発明を更に詳細に説明する。
【実施例１】
【００３１】
最初に、図１〜図１２を参照して、実施例１の播種溝形成補助装置Ｆ1 について説明する。軟弱状態の田圃において直播作業を行う際に、トラクタＴの一対の後輪ＢＷにより形成される車輪（後輪）跡の凹部Ｈに一側方から土を寄せて（供給して）、播種溝Ｖｋを形成可能にするための播種溝形成補助装置Ｆ1 は、図５〜図９において詳細に示されており、左右一対の土寄せ板１及び土成形板２により構成される。以下、説明の都合上、連結板３を介して一体化された土寄せ板１及び土成形板２は、トラクタＴの一対の後輪ＢＷにより形成された前記凹部Ｈ内に配置される作溝輪Ｗと協働して、前記凹部Ｈの部分に播種溝Ｖｋを形成するので、「播種溝補助形成板１０」と称することにする。左右一対の播種溝補助形成板１０は、図８に示されるように、トラクタＴの一対の後輪ＢＷの直後方に配置される各作溝輪Ｗの外側にそれぞれ配置されるため、平面視において左右対称な形状をなしている。なお、播種溝形成補助装置Ｆ1 は、播種溝補助形成板１０と、当該播種溝補助形成板１０を機体Ｂの前横支持棹７７に、当該機体Ｂの幅方向Ｑ及び高さ方向Ｊに沿った配置位置を定めて取付けるための後述の連結ブラケット等の取付部材とから成る。
【００３２】
作溝装置Ｅを装着した機体Ｂを牽引するトラクタＴには、当該機体Ｂを牽引できる動力を備えていることを条件に種々のタイプがあり、また、機体Ｂに装着された作溝装置Ｅの有する作溝輪Ｗの数（一度に形成される播種溝の数の面から見ると「条数」）も、種々存在する。実施例１の作溝装置Ｅは、１回の走行で「６条」を同時に直播きする構造であって、トラクタＴとの関係では、計６輪の作溝輪Ｗのうち、両外側の２輪の各作溝輪Ｗが前記凹部Ｈに配置される構成であるために、両外側の各作溝輪Ｗの外側に、土寄せ板１及び土成形板２が配置される構成となっている。
【００３３】
土寄せ板１は、車輪跡の凹部Ｈの一側方である外側の土Ｓを掘削して当該凹部Ｈの側に寄せて（供給して）、当該凹部Ｈを掘削された土Ｓで埋めるための板状の部材であって、前端から後端に向けて作溝輪Ｗ又は当該作溝輪Ｗの前後方向への延長線に対する距離が徐々に小さくなるように、平面視において機体Ｂの進行方向Ｐに対して傾斜して配置されている。土成形板２は、当該土成形板２と作溝輪Ｗの規制鍔リング体８６及び作溝突板部９０との間に、前記土Ｓを機体Ｂの進行とともに連続的に圧縮状態で閉じ込めることで、作溝輪Ｗの作溝突板部９０による播種溝Ｖｋの形成を助けるための板状の部材である。土寄せ板１及び土成形板２は、いずれも上記した各作用を効果的に奏させるために、横断面視において垂直配置に対して作溝輪Ｗの側に向いて傾斜して配置されている。図９（ｂ）には、土寄せ板１は、水平線とのなす角度がθ1 （＜９０°）となるように、作溝輪Ｗの側に傾斜して配置されている状態が図示され、図１２には、土成形板２は、水平線とのなす角度がθ2 （＜９０°）となるように、作溝輪Ｗの側に傾斜して配置されている状態が図示されている。
【００３４】
土寄せ板１及び土成形板２は、いずれも一枚板状であって、それぞれ独立した上記作用を奏させるために、土寄せ板１の後端に土成形板２が後方に向けて配置されて、両板１，２は、それらの外側において連結板３を介して一体に連結されている。具体的には、土寄せ板１及び土成形板２と連結板３とは、それぞれ溶接により一体化されている。左右一対の播種溝補助形成板１０は、それぞれ連結ブラケット１１及び固定ホルダ１２を介して作溝装置Ｅの機体Ｂの前横支持棹７７の両端部に、左右方向である機体Ｂの幅方向Ｑ及び前後方向（機体Ｂの進行方向Ｐ）の各位置が正確に定められて垂下状態で固定される。作溝装置Ｅの機体Ｂに対して播種溝補助形成板１０の前後方向に沿った配置位置は、連結ブラケット１１の形状によって定められる。連結ブラケット１１は、水平板部１１ａの両端部に、互いに逆方向に延びる垂直板部１１ｂ，１１ｃが一体に設けられた形状であって、下方に延びる垂直板部１１ｂには、２つのボルト孔１３が上下方向に一定間隔をおいて形成されている。一方、播種溝補助形成板１０の連結板３には、形成板側連結ブラケット１４が垂直となって溶接により一体化され、当該形成板側連結ブラケット１４には、前記連結ブラケット１１の２つのボルト孔１３の間隔と同一間隔でもって、一対のボルト孔１５が形成されている。当該形成板側連結ブラケット１４と前記連結ブラケット１１の垂直板部１１ｂとが重なり合って、各ボルト孔１３，１５に挿通されボルト１６、及び当該ボルト１６に螺合されるナット１７を介して互いに連結される。
【００３５】
また、固定ホルダ１２は、前横支持棹７７の外側に、上下方向にのみ隙間が発生して、前後方向には隙間が発生しない状態で嵌合される短角筒状の部材であって、前横支持棹７７の外側に嵌合された状態で、その上下方向の隙間１８〔図５（ｂ）参照〕には、縦断面視でコの字形をした固定具２１の下方板部２１ａが挿入され、当該固定具２１の上方板部２１ｂの裏面にはナット２２が溶接されている。よって、固定具２１の下方板部２１ａを前記隙間１８に挿入した状態で、前記ナット２２に螺合された固定ボルト２３を、固定具２１の上板部を貫通させて、前横支持棹７７の上面に押圧状態で当接させることで、前記隙間１８が解消されて、前横支持棹７７に固定具２１を介して固定ホルダ１２が左右方向の定められた位置に固定される。この結果、前横支持棹７７に対する固定ホルダ１２の固定位置の調整によって、機体Ｂに対する播種溝補助形成板１０の幅方向Ｑに沿った配置位置が定められ、車輪跡の凹部Ｈ上に配置される作溝輪Ｗの一方の側方における最適な位置に播種溝補助形成板１０が配置可能となる。
【００３６】
固定ホルダ１２の前面には、連結ブラケット１１の垂直板部１１ｃを挿入固定させる挿入固定具２４が一体に設けられていて、当該挿入固定具２４の側面に固定されたナット２５と、当該ナット２５に螺合される固定ボルト２６とで、挿入固定具２４に垂直板部１１ｃが挿入された連結ブラケット１１の作溝輪Ｗに対する高さ方向に位置が固定される。挿入固定具２４に対する連結ブラケット１１の垂直板部１１ｃの挿入突出長の調整により、作溝輪Ｗに対する播種溝補助形成板１０の高さ方向Ｊの位置が定められて、土寄せ板１による最適な土壌の掘削量を定めることができる。
【００３７】
また、図１０に示されるように、土寄せ板１は、その全体が、作溝輪Ｗの回転軸心Ｃよりも前方に配置され、土成形板２は、その後端２ａが作溝輪Ｗの回転軸心Ｃよりも僅かに後方に配置されることで、当該土成形板２の大部分は、作溝輪Ｗの回転軸心Ｃよりも前方に配置されている。なお、図１０では、土成形板２における作溝輪Ｗの回転軸心Ｃに対して後方に配置されている部分の長さがｅで示されている。これにより、トラクタＴの後輪ＢＷにより軟弱状態の田面に形成された車輪跡である凹部Ｈの部分に、土寄せ板１により土が寄せられて盛り上げられた状態において、作溝輪Ｗにより播種溝Ｖｋが形成される際に、作溝輪Ｗの規制鍔リング体８６と作溝突板部９０による土に対する圧力が抜ける（なくなる）まで、土成形板２の後端部により土に作用する圧力を支えているので、播種溝Ｖｋが成形されている途中の土が崩されることがなくなって、播種溝Ｖｋの作溝が確実となる。
【００３８】
次に、図８及び図９を主体にして、車輪跡の凹部Ｈに播種溝Ｖｋが形成される作用について説明する。降雨後の軟弱状態の田圃において、トラクタＴにより作溝装置Ｅが装着された機体Ｂを牽引して、田面Ａに播種溝Ｖｋを形成して、その直後に、当該播種溝Ｖｋの底部に種子Ｋを落下させる直播作業を行うと、トラクタＴの一対の後輪ＢＷによって田面Ａに、当該後輪ＢＷの幅に対応した前記凹部Ｈが連続して形成される〔図９（ａ）〕。車輪跡の凹部Ｈの深さは、場所によって多少の変化はあるが、図示の例では、作溝輪Ｗの作溝突板部９０の突出長よりも深い場合であって、一区画の田圃においては、前記凹部Ｈの深さは、特殊な部分を除いて、ほぼ一定している。
【００３９】
トラクタＴの一対の後輪ＢＷと、当該後輪ＢＷの直後方に配置された作溝輪Ｗとの間には、土寄せ板１が当該作溝輪Ｗの外側に配置された状態で設けられ、当該土寄せ板１の後端には、土成形板２が連続して設けられている。このため、車輪跡の凹部Ｈの形成直後には、前記土寄せ板１により、当該凹部Ｈの幅方向の外側の端部、及び当該外側の端部を超えて凹部Ｈが形成されていない部分の土Ｓが掘削されて、当該凹部Ｈの側に寄せられて、当該凹部Ｈは、土寄せ板１により掘削された土Ｓにより埋められる〔図９（ｂ）〕。なお、実施例１では、トラクタＴの一対の後輪ＢＷの直後方に配置された作溝輪Ｗの外側にのみ播種溝補助形成板１０が配置されているため、前記凹部Ｈにおける幅方向の土寄せ板１の側に多くの土が寄せられる。なお、土寄せ板１により掘削される部分は、車輪跡の凹部Ｈの幅方向に対する当該凹部Ｈ内に配置された作溝輪Ｗの幅方向の位置により相対的に決定され、例えば、当該凹部Ｈの幅方向の中央部に作溝輪Ｗが配置されている場合には、当該凹部Ｈ内の土のみが掘削されることになる。
【００４０】
そして、図１１及び図１２に示されるように、機体Ｂの進行により、車輪跡の凹部Ｈの側に寄せられた土Ｓは、土成形板２と作溝輪Ｗの規制鍔リング体８６及び作溝突板部９０との計３つの各部材の間に極短時間だけ閉じ込められて圧縮され、しかも土成形板２の前進により、閉じ込められた土Ｓが連続的に圧縮された状態で、作溝輪Ｗの作溝突板部９０により播種溝Ｖｋが作溝される〔図９（ｃ）〕ので、作溝の直前に寄せられた土Ｓの部分であっても、他の作溝輪Ｗとほぼ同様の状態で、寄せられた土Ｓの部分に播種溝Ｖｋが形成される〔図９（ｄ）〕。
【００４１】
なお、土寄せ板１により田圃の表面を掘削した部分には、播種溝Ｖｋよりも深い掘削溝Ｖｄが連続して形成される。この掘削溝Ｖｄは、播種溝Ｖｋよりも深く形成され、しかも田圃の全長に亘って連続しているために、田圃に溜まった雨水等を集水させて、田圃の外に排水させる機能がある。このため、多数条の播種溝Ｖｋが形成されて、当該各播種溝Ｖｋに種子Ｋが直播きされた後の田圃の乾燥が早められるため、播種溝に落下された種子は、過剰水分により損傷されることなく、良好に発芽する。
【００４２】
段落「００３１」で述べたように、トラクタＴの一対の後輪ＢＷにより形成される車輪跡の凹部Ｈの部分に、機体Ｂに装着された作溝装置Ｅを構成する複数の作溝輪Ｗのうち両端部の作溝輪Ｗのいずれが配置されるかは、トラクタＴの大きさと、機体Ｂの一回の走行により直播きされる「条数」とによって定められる。図１３は、上から順に、トラクタＴの一対の後輪ＢＷと作溝装置Ｅとの配置関係を示す平面図及び背面図、並びに田面Ａに形成された複数の播種溝Ｖｋを示している。図１３では、左右一対の後輪により形成される凹部Ｈよりも外側に１つの作溝輪Ｗが存在するために、作溝装置Ｅの左右両端部において、両端から２番目の作溝輪Ｗの外側に播種溝形成補助装置Ｆ1 が配置されている。
【００４３】
図１４に示される播種溝形成補助装置Ｆ1 の配置例は、作溝装置Ｅの左右両端部において、両端から２番目の作溝輪Ｗの内側に播種溝形成補助装置Ｆ1 が配置されている点のみが、図１３の配置例と異なる。
【００４４】
図１５に示される播種溝形成補助装置Ｆ1 の配置例は、図１３及び図１４に示される各配置例を合成させたものであって、両端から２番目の作溝輪Ｗの両側にそれぞれ播種溝形成補助装置Ｆ1 が配置されている。車輪跡の凹部Ｈに、その両側から土寄せ板１により掘削された土を供給させることで、当該凹部Ｈの幅方向の全域に亘って土Ｓが供給されるのに加えて、作溝輪Ｗによる播種溝Ｖｋの形成時には、当該作溝輪Ｗの作溝突板部９０及び規制鍔リング体８６と、当該作溝突板部９０を両側から挟むように配置された一対の土成形板２とにより、土Ｓを閉じ込めて圧縮させるために、規制鍔リング体８６による加圧時において、閉じ込められた土Ｓの両側には、一対の土成形板２が配置されているため、閉じ込められた土Ｓが崩されないために、播種溝Ｖｋの形成を確実に行える利点がある。
【実施例２】
【００４５】
実施例２の播種溝形成補助装置Ｆ2 は、実施例１の播種溝形成補助装置Ｆ1 を構成する土寄せ板１に替えてディスク板３１を用いた点が異なる。図１７では、ディスク板３１は、全体が僅かにわん曲された円盤状をなしていて、土壌と直接に接触する面が凸面となっていて、前面側に付着土を剥離させるスクレーパ３３が取付けられている。なお、ディスク板は、平面板で構成してもよい。ディスク板３１は、土寄せ板１と同様に、平面視において機体Ｂの進行方向Ｐに対して傾斜配置され、当該ディスク板３１の後方には、土成形板３２が機体Ｂの進行方向Ｐに沿って配置されている。ディスク板３１及び土成形板３２は、掘削された土を大きく移動させずに、作溝輪Ｗの直前方に盛り上げられるように、いずれも作溝輪Ｗの側に倒れた形態で配置されている。
【００４６】
ディスク板３１は、連結ブラケット３４の下端部に回転可能に支持され、当該連結ブラケット３４は、前横支持棹７７の端部に、前記固定ホルダ１２を介して機体Ｂの幅方向Ｑ及び高さ方向Ｊの最適位置に取付けられている。また、土成形板３２は、連結ブラケット３５を備えており、当該連結ブラケット３５は、下端部にディスク板３１を回転可能に支持している前記連結ブラケット３４の高さ方向の途中に一体に連結されている〔図１７（ｂ）参照〕。
【００４７】
このため、図１７及び図１８に示されるように、機体Ｂの進行により、ディスク板３１は、掘削土壌に対する抵抗によって、作溝輪Ｗの回転方向と同方向に回転されながら、車輪跡の凹部Ｈの幅方向の一方の端部の土壌を掘削しながら回転させられて、掘削された土壌を当該凹部Ｈの中央部に供給することで、当該凹部Ｈが掘削された土Ｓで埋められる。その後の作用は、実施例１の播種溝形成補助装置Ｆ1 と同様であって、作溝輪Ｗの規制鍔リング体８６と作溝突板部９０と土成形板３２との間に、機体Ｂの進行とともに連続的に土Ｓが閉じ込められた状態で、作溝輪Ｗの作溝突板部９０により播種溝Ｖｋが形成される。
【００４８】
また、ディスク板３１が回転するために、田圃に散在している作物の茎、或いは草等の長尺紐状物が引っ掛かりにくい利点がある。
【００４９】
また、表面部が乾田化している田圃に直播きする場合には、土寄せ板１及び土成形板２から成る播種溝補助形成板１０の使用は、不要となるので、使用しないで、或いは、前横支持棹７７に当該播種溝補助形成板１０が装着されている場合には、当該播種溝補助形成板１０を取り外して、直播作業を行う。
【００５０】
なお、上記各実施例１，２では、軟弱状態の田圃の田面に形成される凹部Ｈは、作溝装置Ｅを牽引するトラクタＴの一対の後輪ＢＷの接地圧により形成される例であるが、「クローラ型」のトラクタである場合には、左右一対のクローラにより田面に、一対の後輪ＢＷによる凹部よりも浅い凹部が形成される。また、「セミクローラ型」のトラクタでは、一対の前輪により凹部が形成されることは、段落「０００９」で述べた通りである。
【符号の説明】
【００５１】
Ａ：田面
Ｂ：機体
Ｃ：作溝輪の回転軸心
Ｅ：作溝装置
Ｈ：車輪跡の凹部
Ｐ：機体の進行方向
Ｑ：機体の幅方向
Ｒ：覆土ロッド
Ｓ：車輪跡の凹部に埋められた土
Ｔ：トラクタ
Ｖｄ：土寄せ板による掘削溝
Ｖｋ：播種溝
Ｗ：作溝輪
θ1 ：土寄せ板の水平線に対する作溝輪の側への傾斜角度
θ2 ：土成形板の水平線に対する作溝輪の側への傾斜角度
１：土寄せ板（土寄せ具）
２，３２：土成形板
１０：播種溝補助形成板
３１：ディスク板（土寄せ具）
６３：駆動輪
８６：作溝輪の規制鍔リング体
９０：作溝輪の作溝突板部
【図１】
2015029477.tif 000003
【図２】
2015029477.tif 000004
【図３】
2015029477.tif 000005
【図４】
2015029477.tif 000006
【図５】
2015029477.tif 000007
【図６】
2015029477.tif 000008
【図７】
2015029477.tif 000009
【図８】
2015029477.tif 000010
【図９】
2015029477.tif 000011
【図１０】
2015029477.tif 000012
【図１１】
2015029477.tif 000013
【図１２】
2015029477.tif 000014
【図１３】
2015029477.tif 000015
【図１４】
2015029477.tif 000016
【図１５】
2015029477.tif 000017
【図１６】
2015029477.tif 000018
【図１７】
2015029477.tif 000019
【図１８】
2015029477.tif 000020